(57)【要約】【課題】洗濯物を干すときに物干しハンガーに取り付けて洗濯物の乾きを速くする。【解決手段】本発明は、洗濯物を干すときに物干しハンガーに取り付けて洗濯物の乾きを速くするための補助具であって、挟みピンチと、その挟みピンチの左右の摘み部に固着したＵ字形線条体とからなる構成でありこれを、使用することで筒状の隙間を広くして通風がよく乾きが速くなる。天候の悪い日では、乾燥機或は暖房機を使用し乾かさねばならず、燃料、電気代の節約に成る。  また、強風による本発明２個が移動し偏り、通風が悪くならない様に、小さめの丸孔を備える。【選択図】図１
2011000408.tif 000002
【特許請求の範囲】
【請求項１】
洗濯物を干すときに物干しハンガーに取り付けて洗濯物の乾きを速くするための補助具であって、挟みピンチと、その挟みピンチの左右の摘み部に固着したＵ字形線条体とからなることを特徴とする物干しハンガー補助具。
【請求項２】
前記挟みピンチの摘み部に物干しハンガーの太い横棒を挟む為の広い空間と細い丸棒を挟む小さめの丸孔を設けたことを特徴とする請求項１に記載の物干しハンガー補助具。
【請求項３】
前記Ｕ字形線条体は、鋼又プラスチックであることを特徴とする請求項１又は請求項２に記載の物干しハンガー補助具。
【発明の詳細な説明】
【技術分野】
【０００１】  本発明は、三角型の物干しハンガーに掛けた洗濯物を速く乾かすための補助具に関するものである。
【背景技術】
【０００２】  従来、洗濯物を三角型の物干しハンガーに掛けて干すのが常識で、シャツ、セーター、ジーンズ、作業ズボン、ズボン下、ジーパン、厚物のトレーナー、冬物パジャマ、タイツなど、たいていの衣類は構造上筒状であるため、二重で重なり合っており、天候の良い日でも通風が悪く、乾くのに時間がかかり、まして悪天候では部屋干しとなり、乾燥機やストーブ（ファンヒーター）または、エヤーコンなどを使用して乾燥しなければならなく、不経済である。また、幅広のハンガーの商品もあり肩の部分は隙間があるけれど裾やズボンタイプでは太ももの部分は狭くなり袋状態で通風が悪く乾きに時間が掛かっていた。
【発明の概要】
【発明が解決しようとする課題】
【０００３】  そこで、本発明は、上述の問題を解決するためになされたもので、三角型の物干しハンガー本体の横棒に取り付けて、洗濯物の筒状部分に差し込み、通風を良くして乾きを速くするための物干しハンガー補助具を提供することを目的とする。
また、強風による本発明２個が移動し偏り、通風が悪くならない様に小さめの丸孔を備えた物干しハンガー補助具を提供することを目的とする。
【課題を解決するための手段】
【０００４】  上述の課題を解決するために、本発明の請求項１に記載の物干しハンガー補助具は、洗濯物を干すときに物干しハンガーに取り付けて洗濯物の乾きを速くするための補助具であって、挟みピンチと、その挟みピンチの左右の摘み部に固着したＵ字形線条体とからなることを特徴とする。【０００５】  上述の課題を解決するために、本発明の請求項２に記載の物干しハンガー補助具の挟みピンチの挟み部に物干しハンガーの太い横棒を挟む為の広い空間と細い丸棒を挟むことで、強風による本発明２個が移動し偏り、通風が悪くならない様に小さめの丸孔を備えたことを特徴とする。【０００６】  また、本発明の請求項３に記載の物干しハンガー補助具は、前記Ｕ字形線条体が、鋼又プラスチックであることを特徴とする。
【発明の効果】
【０００７】  本発明の物干しハンガー補助具２個を物干しハンガーの横棒に適当な位置に挟み使用する事により洗濯をした衣類、または、タオル等をＵの字に掛け干す事で、袋状の２重に重なり隙間の無い部分を、幅広く隙間を作り、筒状にして、通風を良くする事で速く乾く効果がある。また、本発明を使用する事でＵ字形線条体鋼、プラスチックで張りが出来、洗濯シワが軽減し尚、且つ従来の挟みピンチと構造的に変わりないので簡単に挟み使用する事が出来、また、デザイン的にもスッキリしている。
また、挟み部に小さめの丸孔を備えたことで強風による本発明２個が移動し偏り、通風が悪くならないため、乾きが速い。
【図面の簡単な説明】
【０００８】
【図１】本発明の斜視図である。
【図２】本発明を三角形の物干しハンガーに挟み取り付け状態の斜視図である。
【図３】本発明を三角形の物干しハンガーに挟み取り付け状態にシャツを掛けている使用状態の斜視図である。
【図４】本発明を三角形の物干しハンガーにズボン下を掛けている使用状態の斜視図である。
【図５】本発明をウエスト上部から差込み途中の斜視図である。
【図６】本発明を底面からの斜視図である。
【図７】本発明の挟みピンチの摘み部の孔に鋼、プラスチックのＵ字形線条体の両先端を巻き付けた状態の部分の拡大図である。
【図８】本発明の挟みピンチの摘み部に鋼、プラスチックのＵ字形線条体の両先端を埋め込んだ部分の拡大図である。
【図９】本発明の挟みピンチの摘み部に鋼、プラスチックのＵ字形線条体の両先端を巻き込んだ斜視図である。
【図１０】本発明の挟みピンチの挟み部に小さめの丸孔を設けた斜視図である。
【発明を実施するための形態】
【０００９】  洗濯物を干すとき物干しハンガーに取り付けて洗濯物の乾きを速くするための補助具であって、挟みピンチと、その挟みピンチの左右の摘み部に固着したＵ字形線条体とからなる物干しハンガー補助具。
【実施例１】
【００１０】  図１は実施例１の物干しハンガー補助具１の図であって、挟みピンチ本体２にプラスチック線材からなるＵ字形線条体３の両先端を挟みピンチの摘み部５ａ、５ｂの裏面に埋め込み部１１結合する。
【実施例２】
【００１１】  また、図２は実施例２の物干しハンガー補助具１を三角形の物干しハンガー６に挟み取り付け状態の斜視図である。この状態でシャツ、セーター等の洗濯物を裾１６から挿入する事もでき、また、首部１４から三角形の物干しハンガー６を挿入し肩部１５を掛け、その後物干しハンガー補助具１を首部１４から挿入し三角形の物干しハンガー６の横棒７に挟み部２を挟む事ができる。
【実施例３】
【００１２】  また、図３は実施例２の物干しハンガー補助具１を三角形の物干しハンガー６の横棒７に挟み取り付けた三角形の物干しハンガー６にシャツ９を掛けている使用状態の斜視図である。鋼、プラスチック素材のＵ字形線体３の張り１２により筒状になり通風も良く乾きが速く洗濯時のシワの軽減となる。また、袖部の筒状態部にも使用できる。【００１３】  また、図４は実施例４の物干しハンガー補助具１を三角形の物干しハンガー６に、ズボン下８を掛けて使用している斜視図であって、ズボン下８の左脚部１７右脚部１８にＵ字形線条体の鋼、プラスチックの張り１２で広く隙間が出来、筒状になり通風も良く乾きが速く洗濯時のシワの軽減ができる。
【実施例４】
【００１４】  また、図５は、三角形の物干しハンガー６にズボン下８を掛け、物干しハンガー補助具１をズボン下８のウエスト部１３から左側脚部１７に差込み途中の斜視図である。尚、且つ物干しハンガー本体６の横棒７に物干しハンガー補助具１を挟み取り付ける事ができ、また、同様に右脚部１８に差込み筒状の衣類に簡単に使用可能であり筒状で通風が良く乾きが速くなる。
【実施例５】
【００１５】  また、図６は、本発明の第３実施例の底面よりの斜視図であり、この様に洗濯物の裾部分が広く隙間が出来筒状になり、通風が良く乾きが速くなる。
【実施例６】
【００１６】    また、図７は、挟みピンチ２の摘み部５ａ、５ｂの摘み部分の孔４ａ、４ｂに鋼、プラスチックのＵ字形線体線の先端３ａ、３ｂを通して巻き付けて固定した状態の拡大図で摘む時、邪魔に成らない様成形されている。
【実施例７】
【００１７】  また、図８は、第８実施例の挟みピンチ２の摘み部５ａ、５ｂに鋼、プラスチックのＵ字形線条体の両先端３ａ、３ｂを埋め込んだ拡大図で、摘む時邪魔に成らない様成形されている。
【実施例８】
【００１８】また、図９は、本発明の第９実施例の挟みピンチ２の摘み部５ａ、５ｂの裏面に、鋼、プラスチックＵ字形線条体２の両先端を巻き込んだ本発明の物干しハンガー補助具の斜視図である。
【実施例９】
【００１９】また、図１０は、本発明の第１０実施例の挟みピンチ２の挟み部２０に、小さめの丸孔１９を備えた本発明の物干しハンガー補助具の斜視図である。
【符号の説明】
【００２０】      １  物干しハンガー補助具
２  挟みピンチ
３  Ｕ字形線条体
３ａ、３ｂ  Ｕ字形線条体の両先端
４ａ、４ｂ  Ｕ字形線条体の両先端を通して巻き付けの為の孔
５ａ、５ｂ  摘み部
６  物干しハンガー
７  ハンガーの横棒
８  ズボン下
９  シャツ
１０  鋼、プラスチックのＵ字形線条体の巻き込み部
１１  鋼、プラスチックのＵ字形線条体の埋め込み部
１２  張り
１３  ウエスト部
１４  首部
１５  肩部
１６  裾部
１７  ズボン下の左脚部
１８  ズボン下の右脚部
１９  小さめの丸孔
２０  挟み部
【図１】
2011000408.tif 000003
【図２】
2011000408.tif 000004
【図３】
2011000408.tif 000005
【図４】
2011000408.tif 000006
【図５】
2011000408.tif 000007
【図６】
2011000408.tif 000008
【図７】
2011000408.tif 000009
【図８】
2011000408.tif 000010
【図９】
2011000408.tif 000011
【図１０】
2011000408.tif 000012